(57)【特許請求の範囲】
【請求項１】
２，４，８の各ポート数に対応してロケーションインデックスが定められた下りリンクの参照信号であるＣＳＩ−ＲＳ（Channel  State  Information−Reference  Signal）を、ＣＳＩ−ＲＳ送信用に規定されているＣＳＩ−ＲＳ用リソースのいずれかのリソースエレメントに配置する配置部と、
前記配置部によって前記ＣＳＩ−ＲＳが配置される前記ＣＳＩ−ＲＳ用リソースのリソースエレメントに対応したＣＳＩ−ＲＳロケーションインデックスを出力するインデックス生成部と、
前記インデックス生成部から出力された前記ＣＳＩ−ＲＳロケーションインデックスを前記移動端末装置に送信する送信部と、
を備え、
前記ＣＳＩ−ＲＳロケーションインデックスは、相対的に小さいＣＳＩ-ＲＳポート数のインデックスパターンが相対的に大きいＣＳＩ-ＲＳポート数のインデックスパターンのサブセットになるように、ＣＳＩ-ＲＳポート数に対応して定められており、ＣＳＩ-ＲＳポート数＝８に対応した１つの基本インデックス“ｎ”からＣＳＩ-ＲＳポート数＝４に対応した２種類のＣＳＩ−ＲＳロケーションインデックス“ｎ”“ｎ＋Ｎ”からなるインデックスパターンが導出され、前記ＣＳＩ−ＲＳロケーションインデックス“ｎ”“ｎ＋Ｎ”からＣＳＩ-ＲＳポート数＝２に対応したＣＳＩ−ＲＳロケーションインデックスとして２種類のＣＳＩ−ＲＳロケーションインデックス“ｎ”“ｎ＋Ｎ”を含む４種類のＣＳＩ−ＲＳロケーションインデックスからなるインデックスパターンが導出されるように定められていることを特徴とする基地局装置。
【請求項２】
前記ＣＳＩ−ＲＳロケーションインデックスは、ＣＳＩ-ＲＳポート数＝２に対応したＣＳＩ−ＲＳロケーションインデックスとして前記ＣＳＩ−ＲＳロケーションインデックス“ｎ”“ｎ＋Ｎ”から４種類のＣＳＩ−ＲＳロケーションインデックス“ｎ”“ｎ＋Ｎ”“ｎ＋２Ｎ”“ｎ＋３Ｎ”からなるインデックスパターンが導出されるように定められていることを特徴とする請求項１に記載の基地局装置。
【請求項３】
前記送信部は、前記ＣＳＩ−ＲＳの位置情報を報知信号により複数の移動端末装置に対して一斉に送信することを特徴とする請求項１又は請求項２記載の基地局装置。
【請求項４】
隣接エリアにおいてＣＳＩ−ＲＳが配置されるリソースをブランクリソースに設定するブランクリソース設定部と、を備え、
前記送信部は、前記ブランクリソースの位置情報を前記移動端末装置に送信することを特徴とする請求項１から請求項３のいずれかに記載の基地局装置。
【請求項５】
前記送信部は、前記ブランクリソースの位置を前記ＣＳＩ−ＲＳ用リソースに対応させてビットマップ形式で設定したビットマップ情報を前記移動端末装置に送信することを特徴とする請求項４に記載の基地局装置。
【請求項６】
前記送信部は、前記インデックス生成部で生成されるＣＳＩ−ＲＳロケーションインデックスを用いて前記ブランクリソースの開始位置と終了位置とを示した位置情報を生成して前記移動端末装置に送信することを特徴とする請求項４に記載の基地局装置。
【請求項７】
前記送信部は、前記ＣＳＩ−ＲＳ用リソースにおいて連続する前記ブランクリソースの連続回数を前記ブランクリソースの位置情報として前記移動端末装置に送信することを特徴とする請求項４に記載の基地局装置。
【請求項８】
基地局装置が以下の各ステップを実行するＣＳＩ-ＲＳ（Channel  State  Information−Reference  Signal）のシグナリング方法であって、
２，４，８の各ポート数に対応してロケーションインデックスが定められた下りリンクの参照信号であるＣＳＩ−ＲＳを、ＣＳＩ−ＲＳ送信用に規定されているＣＳＩ−ＲＳ用リソースのいずれかのリソースエレメントに配置するステップと、
前記ＣＳＩ−ＲＳが配置される前記ＣＳＩ−ＲＳ用リソースのリソースエレメントに対応したＣＳＩ−ＲＳロケーションインデックスを出力するステップと、
前記出力されたＣＳＩ−ＲＳロケーションインデックスを前記移動端末装置に送信するステップと、
を備え、
前記ＣＳＩ−ＲＳロケーションインデックスは、相対的に小さいＣＳＩ-ＲＳポート数のインデックスパターンが相対的に大きいＣＳＩ-ＲＳポート数のインデックスパターンのサブセットになるように、ＣＳＩ-ＲＳポート数に対応して定められており、ＣＳＩ-ＲＳポート数＝８に対応した１つの基本インデックス“ｎ”からＣＳＩ-ＲＳポート数＝４に対応した２種類のＣＳＩ−ＲＳロケーションインデックス“ｎ””ｎ＋Ｎ“からなるインデックスパターンが導出され、前記ＣＳＩ−ＲＳロケーションインデックス“ｎ””ｎ＋Ｎ“からＣＳＩ-ＲＳポート数＝２に対応したＣＳＩ−ＲＳロケーションインデックスとして２種類のＣＳＩ−ＲＳロケーションインデックス”ｎ““ｎ＋Ｎ”を含む４種類のＣＳＩ−ＲＳロケーションインデックスからなるインデックスパターンが導出されるように定められている、
ことを特徴とするＣＳＩ-ＲＳのシグナリング方法。
【発明の詳細な説明】
【技術分野】
【０００１】
本発明は、ＣＳＩ-ＲＳのシグナリング方法及び基地局装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（LTE：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（LTE-A））。したがって、将来的には、これら複数の移動通信システムが並存することが予想され、これらの複数のシステムに対応できる構成（基地局装置や移動端末装置など）が必要となることが考えられる。
【０００４】
ＬＴＥのシステム（ＬＴＥシステム）の下りリンクにおいて、セル共通の参照信号であるＣＲＳ（Common  Reference  Signal）が定められている。このＣＲＳは、送信データの復調に用いられる他、スケジューリングや適応制御のための下りリンクのチャネル品質（CQI：Channel  Quality  Indicator）測定、並びに、セルサーチやハンドオーバのための下りの平均的な伝搬路状態の測定（モビリティ測定）に用いられる。
【０００５】
一方、ＬＴＥアドバンストのシステム（ＬＴＥ−Ａシステム）の下りリンクにおいては、ＣＲＳに加えて、ＣＱＩ測定専用にＣＳＩ−ＲＳ（Channel  State  Information  −  Reference  Signal）が定められる。
【先行技術文献】
【非特許文献】
【０００６】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００７】
ところで、ＣＳＩ−ＲＳの導入にあたり、ＣＳＩ−ＲＳの配置構成（ＣＳＩ−ＲＳロケーション）が検討されているが、ＣＳＩ−ＲＳポート数に応じて、ＣＳＩ−ＲＳの必要数が異なるため，これに応じてロケーションパターンが異なる。
【０００８】
本発明はかかる点に鑑みてなされたものであり、リソースブロック内でのＣＳＩ-ＲＳ配置位置を示すＣＳＩ−ＲＳロケーションインデックスを高効率でシグナリングするためのＣＳＩ-ＲＳのシグナリング方法及び基地局装置を提供することを目的とする。
【課題を解決するための手段】
【０００９】
本発明の基地局装置は、２，４，８の各ポート数に対応してロケーションインデックスが定められた下りリンクの参照信号であるＣＳＩ−ＲＳ（Channel  State  Information−Reference  Signal）を、ＣＳＩ−ＲＳ送信用に規定されているＣＳＩ−ＲＳ用リソースのいずれかのリソースエレメントに配置する配置部と、前記配置部によって前記ＣＳＩ−ＲＳが配置される前記ＣＳＩ−ＲＳ用リソースのリソースエレメントに対応したＣＳＩ−ＲＳロケーションインデックスを出力するインデックス生成部と、前記インデックス生成部から出力された前記ＣＳＩ−ＲＳロケーションインデックスを前記移動端末装置に送信する送信部と、を備え、前記ＣＳＩ−ＲＳロケーションインデックスは、相対的に小さいＣＳＩ-ＲＳポート数のインデックスパターンが相対的に大きいＣＳＩ-ＲＳポート数のインデックスパターンのサブセットになるように、ＣＳＩ-ＲＳポート数に対応して定められており、ＣＳＩ-ＲＳポート数＝８に対応した１つの基本インデックス“ｎ”からＣＳＩ-ＲＳポート数＝４に対応した２種類のＣＳＩ−ＲＳロケーションインデックス“ｎ”“ｎ＋Ｎ”からなるインデックスパターンが導出され、前記ＣＳＩ−ＲＳロケーションインデックス“ｎ”“ｎ＋Ｎ”からＣＳＩ-ＲＳポート数＝２に対応したＣＳＩ−ＲＳロケーションインデックスとして２種類のＣＳＩ−ＲＳロケーションインデックス“ｎ”“ｎ＋Ｎ”を含む４種類のＣＳＩ−ＲＳロケーションインデックスからなるインデックスパターンが導出されるように定められていることを特徴とする。
【発明の効果】
【００１０】
本発明によれば、リソースブロック内でのＣＳＩ-ＲＳ配置位置を示すＣＳＩ−ＲＳロケーションインデックスを高効率でシグナリングできるＣＳＩ-ＲＳのシグナリング方法及び基地局装置を提供できる。
【図面の簡単な説明】
【００１１】
【図１】ＣＲＳの配置構成の説明図である。
【図２】ＣＳＩ−ＲＳの配置構成の説明図である。
【図３】ＣＳＩ−ＲＳロケーションインデックスの生成過程を説明するための説明図である。
【図４Ａ】図３（ａ）に示す方法を適用してＣＳＩ-ＲＳロケーションインデックスを決定した具体例を示す図である。
【図４Ｂ】図３（ｂ）に示す方法を適用してＣＳＩ-ＲＳロケーションインデックスを決定した具体例を示す図である。
【図４Ｃ】初期ＣＳＩ-ＲＳロケーションインデックスを一部修正して決定したＣＳＩ-ＲＳロケーションインデックスの具体例を示す図である。
【図５】隣接セルのＣＱＩの測定方法の説明図である。
【図６】ＣＳＩ−ＲＳを用いたＣＱＩ測定におけるミューティングの説明図である。
【図７】ミューティングリソースのシグナリング方法の説明図である。
【図８】ミューティングリソースのシグナリング方法とシグナリングビット数との関係を示す図である。
【図９】移動通信システムの構成の説明図である。
【図１０】基地局装置の全体構成の説明図である。
【図１１】移動端末装置の全体構成の説明図である。
【図１２】基地局装置による移動端末装置にＣＱＩを測定させるための機能ブロックの説明図である。
【図１３】移動端末装置によるＣＱＩを測定するための機能ブロックの説明図である。
【図１４】ＣＳＩ−ＲＳの送信周期とサブフレームオフセットとの対応関係を示す図である。
【発明を実施するための形態】
【００１２】
まず、本発明に係るＣＳＩ-ＲＳの高効率シグナリング方法について説明する前に、ＬＴＥシステムの下りリンクで定められるＣＲＳ（Common  Reference  Signal）およびＬＴＥ−Ａシステムの下りリンクに適用されることが合意されたＣＳＩ−ＲＳ（Channel  State  Information  −  Reference  Signal）について説明する。
【００１３】
図１は、ＣＲＳの構成について説明するための図である。図１は、ＣＲＳの配置構成の説明図である。ＣＲＳは、全てのリソースブロックおよび全てのサブフレームに割り当てられている。
【００１４】
ＣＲＳは、セル共通参照信号として所定の周波数、時間、送信電力、位相で移動端末装置に送信される。これらＣＲＳの周波数や送信電力は、後述するセルＩＤ（エリア識別子）や報知信号により移動端末装置側で認識される。ＣＲＳは、概して、移動端末装置におけるユーザデータの復調、並びに、下りリンクのチャネル測定に用いられる。ＣＲＳを用いたチャネル測定には、スケジューリングや適応制御のための下りリンクのチャネル品質（CQI：Channel  Quality  Indicator）測定、およびセルサーチやハンドオーバのための下りの平均的な伝搬路状態の測定（モビリティ測定）が含まれる。
【００１５】
図１（ａ）に示すように、ＣＲＳは、ＬＴＥで規定される１リソースブロックにおいて、ユーザデータやＤＭ−ＲＳ（Demodulation  −  Reference  Signal）と重ならないように配置されている。１リソースブロックは、周波数方向に連続する１２サブキャリアと、時間軸方向に連続する１４シンボルで構成される。また、図１（ｂ）に示すように、ＣＲＳは、セル毎に周波数方向にシフトされており、隣接するセル間でのＣＲＳ同時の衝突が起こらないように設定することが可能である。図１に示す例では、セルＣ２におけるＣＲＳは、セルＣ１におけるＣＲＳに対して、周波数方向に１サブキャリア分だけシフトしてマッピングされている。
【００１６】
このＣＲＳは、位置、系列および送信電力というパラメータで特定される。これらのパラメータのうち、ＣＲＳの位置は、セルＩＤに関連付けられている。すなわち、セルＩＤにより周波数方向にシフトされるＣＲＳの位置が定められるため、移動端末装置は在圏セルのセルＩＤを認識することでＣＲＳの配置構成を特定する。また、ＣＲＳの系列はセルＩＤに関連付けられ、送信電力は報知信号で通知される。なお、ＣＲＳの位置および系列を特定するためのセルＩＤは、セルサーチにより移動端末装置に認識される。
【００１７】
次に、ＬＴＥ−Ａシステムの下りリンクで検討されているＣＳＩ−ＲＳ構成について説明する。ＣＲＳは全てのリソースブロックおよび全てのサブフレームに割り当てられるが、ＣＳＩ−ＲＳは所定の周期で割り当てられる。またＣＳＩ−ＲＳは、多地点協調によるデータチャネル信号の送受信を考慮して、サービングセルだけでなく隣接セルのＣＱＩ測定を用いることも考慮して設計されている。一方、ＣＳＩ−ＲＳは、ＣＲＳと同様に、位置、系列および送信電力というパラメータで特定される。これらパラメータのうち、ＣＳＩ−ＲＳの位置は、各セルの報知信号を用いて通知できる（ＲＲＣシグナリング）。ＣＳＩ−ＲＳの位置が報知信号で通知される場合には、移動端末装置は基地局装置から報知信号を受信することでＣＳＩ−ＲＳの位置を特定することができる。
【００１８】
図２は、ＣＳＩ−ＲＳの配置構成を説明するための図である。ＣＳＩ-ＲＳは、ＬＴＥで規定される１リソースブロックにおいて、ユーザデータやＤＭ−ＲＳと重ならないように配置される。８ＣＳＩ-ＲＳ（８アンテナに相当するＣＳＩ-ＲＳポート数８の場合）について、図２に示すＣＳＩ−ＲＳ構成が合意されている。ＰＡＰＲを抑制する観点から、ＣＳＩ−ＲＳを送信可能なリソースは、時間軸方向に隣接する２つのリソースエレメントがセットで割り当てられる。時間軸方向に隣接する２リソースエレメントは常にセットで使用されるので、当該２リソースエレメントのセットに対して１つのインデックス（ＣＳＩ−ＲＳロケーションインデックス）が付与されることが望ましい。
【００１９】
図２に示されるＣＳＩ-ＲＳ構成では、ＣＳＩ-ＲＳ送信用リソースに４０リソースエレメントが確保されている。上記２リソースエレメントのセットに対して１つのインデックスが付与されるので、１リソースブロック全体では０番〜１９番の最大で２０個のインデックスによってＣＳＩ−ＲＳ配置位置を指示することができる。
【００２０】
ＣＳＩ-ＲＳポート数８の場合（８アンテナ）、４０リソースエレメント（＃０〜＃１９）の中の８つのリソースエレメントがＣＳＩ−ＲＳに割り当てられる。図２に示すＣＳＩ−ＲＳ構成であれば、図４Ａ（ａ）の８ＣＳＩ-ＲＳに示される５つのパターン（インデックス０〜４）のいずれかを選択することが可能である。１パターンを構成するリソースエレメントには同一インデックスが付されている。このように、ＣＳＩ-ＲＳを送信するリソースに付されるインデックスをＣＳＩ-ＲＳロケーションインデックスと呼ぶ。図４Ａ（ａ）の例では、８リソースエレメント（図２での＃０、＃１）、（図２での＃６、＃７）に対して、ＣＳＩ-ＲＳロケーションインデックス“０”が付されている。ＣＳＩ-ＲＳポート数８の場合は、ＣＳＩ-ＲＳロケーションインデックス＃０〜＃４をシグナリングするために３ビット必要である。
【００２１】
ＣＳＩ-ＲＳポート数４の場合、４０リソースエレメントの中の４つのリソースエレメントがＣＳＩ−ＲＳに割り当てられる。図４Ａ（ｂ）の４ＣＳＩ-ＲＳに示される１０パターン（インデックス０〜９）のいずれかを選択することが可能である。ＣＳＩ-ＲＳポート数４の場合は、ＣＳＩ-ＲＳロケーションインデックス＃０〜＃９をシグナリングするために４ビット必要である。
【００２２】
ＣＳＩ-ＲＳポート数２の場合、４０リソースエレメント（＃０〜＃１９）の中の２つのリソースエレメントがＣＳＩ−ＲＳに割り当てられる。図４Ａ（ｃ）の２ＣＳＩ-ＲＳに示される２０パターン（インデックス０〜１９）のいずれかを選択することが可能である。ＣＳＩ-ＲＳポート数２の場合は、ＣＳＩ-ＲＳロケーションインデックス＃０〜＃１９をシグナリングするために５ビット必要である。
【００２３】
このように、ＣＳＩ-ＲＳポート数２，４，８のすべてをサポートするためには、ＣＳＩ-ＲＳロケーションインデックスをシグナリングするために、図４Ａに示すようなＣＳＩ-ＲＳポート数２，４，８のそれぞれについてＣＳＩ-ＲＳロケーションインデックスを規定したインデックステーブルを備える必要がある。
【００２４】
そこで、本発明者らは、ＣＳＩ-ＲＳロケーションインデックスを効率よくシグナリングする方法について考察した結果、相対的に小さいＣＳＩ-ＲＳポート数のインデックスパターンが相対的に大きいＣＳＩ-ＲＳポート数のインデックスパターンのサブセットになるようにして、ＣＳＩ-ＲＳポート数の大きいＣＳＩ-ＲＳロケーションインデックスを用いてＣＳＩ-ＲＳポート数のより小さいＣＳＩ-ＲＳロケーションインデックスを生成すれば、ＣＳＩ-ＲＳポート数４，２のためのインデックステーブルを持たなくてもＣＳＩ-ＲＳロケーションインデックスを生成でき、高効率にＣＳＩ-ＲＳロケーションインデックスをシグナリングできることを見出し、本発明に至った。
【００２５】
図３（ａ）（ｂ）は、本発明に係るＣＳＩ-ＲＳロケーションインデックスのシグナリング方法の概念図である。同図には、２×２のリソースエレメント（以下、ＲＥＢ：リソースエレメントブロックという）を１単位として、２つのＣＳＩ-ＲＳ用ＲＥＢが図示されている。１つのＣＳＩ-ＲＳ用ＲＥＢは、上側リソースと下側リソースからなる。
【００２６】
図３（ａ）はＣＳＩ-ＲＳロケーションインデックスの生成概念及びシグナリング方法の概念図である。ＣＳＩ-ＲＳ用ＲＥＢが割り当てられた２シンボルを含んだ前後４シンボル領域が図示されている。ＣＳＩ-ＲＳポート数８（８アンテナ）の場合、２つのＣＳＩ-ＲＳ用ＲＥＢ（合計で８リソースエレメント）に対して、同一のＣＳＩ-ＲＳロケーションインデックス“ｎ”が割り当てられる。
【００２７】
ＣＳＩ-ＲＳポート数４（４アンテナ）の場合、ＣＳＩ-ＲＳロケーションインデックスは、より大きいＣＳＩ-ＲＳポート数８のインデックス“ｎ”からインデックス決定ルールによって一義的に決められるように設計されている。本例では、２つのＣＳＩ-ＲＳ用ＲＥＢに対して同一のインデックス決定ルールが適用されている。具体的には、１つのＣＳＩ-ＲＳ用ＲＥＢ内で、上側リソースに割り当てるＣＳＩ-ＲＳロケーションインデックスは、ＣＳＩ-ＲＳポート数８のＣＳＩ-ＲＳロケーションインデックス“ｎ”を[２倍した値]“２ｎ”を割り当てる。下側リソースには、ＣＳＩ-ＲＳポート数８のＣＳＩ-ＲＳロケーションインデックス“ｎ”を[２倍した数値に１を加算した値]“２ｎ＋１”を割り当てる。もう一方のＣＳＩ-ＲＳ用ＲＥＢにも同じルールでＣＳＩ-ＲＳロケーションインデックスを割り当てる。
【００２８】
ＣＳＩ-ＲＳポート数２（２アンテナ）の場合、ＣＳＩ-ＲＳロケーションインデックスは、ＣＳＩ-ＲＳポート数４である場合のＣＳＩ-ＲＳロケーションインデックスからインデックス決定ルールに従って決定している。具体的には、周波数インデックスの大きい方のＣＳＩ-ＲＳ用ＲＥＢ（図３では図中上側の方へ行くほど周波数インデックスが大きい）について、上側リソースには、ＣＳＩ-ＲＳポート数４の対応するＣＳＩ-ＲＳロケーションインデックス“２ｎ”を[２倍した値]“４ｎ”を割り当てる。また、下側リソースにはＣＳＩ-ＲＳポート数４の対応するＣＳＩ-ＲＳロケーションインデックス“２ｎ＋１”を[２倍した値]“４ｎ＋２”を割り当てる。また、周波数インデックスの小さい方のＣＳＩ-ＲＳ用ＲＥＢについて、上側リソースには、ＣＳＩ-ＲＳポート数４の対応するＣＳＩ-ＲＳロケーションインデックス“２ｎ”を[２倍して１加算した値]“４ｎ＋１”を割り当てる。また、下側リソースにはＣＳＩ-ＲＳポート数４の対応するＣＳＩ-ＲＳロケーションインデックス“２ｎ＋１”を[２倍して１加算した値]“４ｎ＋３”を割り当てる。
【００２９】
図３（ｂ）はＣＳＩ-ＲＳロケーションインデックスの他の生成概念及びシグナリング方法の概念図である。ＣＳＩ-ＲＳポート数４である場合のＣＳＩ-ＲＳロケーションインデックスは、より大きいＣＳＩ-ＲＳポート数８のＣＳＩ-ＲＳロケーションインデックスからインデックス決定ルールに従って決定している点は、同図（ａ）に示すシグナリング方法と同一である。このインデックス生成及びシグナリング方法は、一方のＣＳＩ-ＲＳ用ＲＥＢでは、上側リソースに割り当てるＣＳＩ-ＲＳロケーションインデックスは、ＣＳＩ-ＲＳポート数８のＣＳＩ-ＲＳロケーションインデックス“ｎ”を[そのまま同じ値]“ｎ”を割り当てる。下側リソースには、ＣＳＩ-ＲＳポート数８のＣＳＩ-ＲＳロケーションインデックス“ｎ”を[そのままの値にＮを加算した値]“ｎ＋Ｎ”を割り当てる。ここでNはCSI-RSポート数4/8の場合のn最大値（すなわち10/5）をあらわす。もう一方のＣＳＩ-ＲＳ用ＲＥＢにも同じルールでＣＳＩ-ＲＳロケーションインデックスを割り当てる。
【００３０】
ＣＳＩ-ＲＳポート数２である場合のＣＳＩ-ＲＳロケーションインデックスは、ＣＳＩ-ＲＳポート数が４である場合のＣＳＩ-ＲＳロケーションインデックスからインデックス決定ルールに従って決定している。具体的には、周波数インデックスの大きい方のＣＳＩ-ＲＳ用ＲＥＢについて、上側リソースには、ＣＳＩ-ＲＳポート数４の対応するＣＳＩ-ＲＳロケーションインデックス“ｎ”を[そのまま同じの値]“ｎ”を割り当てる。また、下側リソースにはＣＳＩ-ＲＳポート数４の対応するＣＳＩ-ＲＳロケーションインデックス“ｎ＋Ｎ”を[そのまま同じ値]“ｎ＋Ｎ”を割り当てる。また、周波数インデックスの小さい方のＣＳＩ-ＲＳ用ＲＥＢについて、上側リソースには、ＣＳＩ-ＲＳポート数４の対応するＣＳＩ-ＲＳロケーションインデックス“ｎ”を[そのまま同じ値に２Ｎを加算した値]“ｎ＋２Ｎ”を割り当てる。また、下側リソースにはＣＳＩ-ＲＳポート数４の対応するＣＳＩ-ＲＳロケーションインデックス“ｎ＋Ｎ”を[そのまま同じ値に２Ｎを加算した値]“ｎ＋３Ｎ”を割り当てる。
【００３１】
基地局装置は、リソースブロック内でのＣＳＩ-ＲＳの送信位置が決定したら、その決定したＣＳＩ-ＲＳ送信位置のＣＳＩ-ＲＳロケーションインデックスを、図３（ａ）に示す方法を適用して決定する。すなわち、ＣＳＩ-ＲＳポート数が最大である８ＣＳＩ-ＲＳの場合は、予め規定された図４Ａ（ａ）に示すインデックスパターンを参照して該当リソースに割り当てられたＣＳＩ-ＲＳロケーションインデックスを生成する。一方、ＣＳＩ-ＲＳポート数が相対的に小さい４ＣＳＩ-ＲＳ又は２ＣＳＩ-ＲＳの場合は、図３（ａ）に示す方法を適用することにより、相対的に小さいＣＳＩ-ＲＳポート数のインデックスパターンが相対的に大きいＣＳＩ-ＲＳポート数のインデックスパターンのサブセットになるＣＳＩ-ＲＳロケーションインデックスを生成する。したがって、本発明のＣＳＩ−ＲＳシグナリング方法によれば、基本インデックスパターンとなるＣＳＩ-ＲＳポート数８のＣＳＩ-ＲＳロケーションインデックステーブルを保持していれば、ＣＳＩ-ＲＳポート数４，２に対応するＣＳＩ-ＲＳロケーションインデックスを決定することができ、ＣＳＩ-ＲＳポート数４，２のＣＳＩ-ＲＳロケーションインデックステーブルを保持する必要性がなくなる。また、リソースブロック内のすべてのリソースエレメントにインデックスを付与してシグナリングする場合に比べて、インデックスの最大値を小さくできるので、シグナリングオーバーヘッドを削減できる。
【００３２】
図４Ａは、図３（ａ）に示す方法を適用してＣＳＩ-ＲＳポート数４，２のＣＳＩ-ＲＳロケーションインデックスを決定した具体例を示している。最大ポート数である８ＣＳＩ-ＲＳのロケーションインデックスは予め決めておき、テーブルなどの形式で保持している。８ＣＳＩ-ＲＳのインデックスパターンを基本にして、図３（ａ）に示すインデックス決定ルールに従ってＣＳＩ-ＲＳポート数４、２のインデックスが計算されている。
【００３３】
同図に示すように、１リソースブロックにおいて、第９および第１０シンボル領域に６つのＣＳＩ-ＲＳ用ＲＥＢ（以下、第１〜第６ＲＥＢという）が配置され、第５および第６シンボル領域に２つのＣＳＩ-ＲＳ用ＲＥＢ（以下、第７、第８ＲＥＢという）が配置され、第１２および第１３シンボル領域に２つのＣＳＩ-ＲＳ用ＲＥＢ（以下、第９、第１０ＲＥＢという）が配置されているものとする。
【００３４】
８ＣＳＩ-ＲＳの場合、第９および第１０シンボル領域に配置された第１および第４ＲＥＢに対してＣＳＩ-ＲＳロケーションインデックス“０”が付与され、同シンボル領域における第２および第５ＲＥＢに対してＣＳＩ-ＲＳロケーションインデックス“１”が付与され、さらに残りの第３および第６ＲＥＢに対してＣＳＩ-ＲＳロケーションインデックス“２”が付与されている。また、第５および第６シンボル領域に配置された第７ＲＥＢおよび第８ＲＥＢに対してＣＳＩ-ＲＳロケーションインデックス“３”が付与され、第１２および第１３シンボル領域に配置された第９ＲＥＢおよび第１０ＲＥＢに対してＣＳＩ-ＲＳロケーションインデックス“４”が付与されている。８ＣＳＩ-ＲＳのＣＳＩ-ＲＳロケーションインデックスパターンは予め保持される。
【００３５】
４ＣＳＩ-ＲＳの場合、４ＣＳＩ-ＲＳよりもポート数の大きい８ＣＳＩ-ＲＳのＲＥＢに付与しているＣＳＩ-ＲＳロケーションインデックスに基づいて、ＣＳＩ-ＲＳロケーションインデックスを決定する。４ＣＳＩ-ＲＳの場合、１ＲＥＢ内では上側リソースと下側リソースとで異なるＣＳＩ-ＲＳロケーションインデックスが付与されるが、８ＣＳＩ-ＲＳで同一のＣＳＩ-ＲＳロケーションインデックスが付与されていた一組のＲＥＢ間（たとえば、第１ＲＥＢと第４ＲＥＢ）では、４ＣＳＩ-ＲＳにおいても同一のＣＳＩ-ＲＳロケーションインデックス（２ｎ＝０、２ｎ＋１＝１）が付与される。
【００３６】
２ＣＳＩ-ＲＳの場合、２ＣＳＩ-ＲＳよりもポート数の大きい４ＣＳＩ-ＲＳのＲＥＢに付与しているＣＳＩ-ＲＳロケーションインデックスに基づいて、ＣＳＩ-ＲＳロケーションインデックスを決定する。２ＣＳＩ-ＲＳの場合、１ＲＥＢ内では上側リソースと下側リソースでと異なるＣＳＩ-ＲＳロケーションインデックスが付与され、４ＣＳＩ-ＲＳで同一のＣＳＩ-ＲＳロケーションインデックスが付与されていた一組のＲＥＢ間（たとえば、第１ＲＥＢと第４ＲＥＢ）でも、異なるＣＳＩ-ＲＳロケーションインデックスが付与される。たとえば、第１ＲＥＢには、上側リソース“４ｎ＝０”、下側リソース“４ｎ＋２＝２”が付与され、第４ＲＥＢには、上側リソース“４ｎ＋１＝１”、下側リソース“４ｎ＋３＝３”が付与される。
【００３７】
図４Ｂは、図３（ｂ）に示す方法を適用してＣＳＩ-ＲＳポート数４，２のＣＳＩ-ＲＳロケーションインデックスを決定した具体例を示している。最大ポート数である８ＣＳＩ-ＲＳのロケーションインデックスは予め決めておき、テーブルなどの形式で保持している。８ＣＳＩ-ＲＳのロケーションインデックスを基本にして、図３（ｂ）に示すインデックス決定ルールに従ってＣＳＩ-ＲＳポート数４、２のインデックスが計算されている。１リソースブロックにおける８ＣＳＩ-ＲＳの構成は、図４Ａに示す８ＣＳＩ-ＲＳ構成と同じである。
【００３８】
４ＣＳＩ-ＲＳの場合、８ＣＳＩ-ＲＳのＲＥＢに付与しているＣＳＩ-ＲＳロケーションインデックスに基づいて、ＣＳＩ-ＲＳロケーションインデックスを決定する。４ＣＳＩ-ＲＳの場合、１ＲＥＢ内では上側リソースと下側リソースでと異なるＣＳＩ-ＲＳロケーションインデックスが付与されるが、８ＣＳＩ-ＲＳで同一のＣＳＩ-ＲＳロケーションインデックスが付与されていた一組のＲＥＢ間（たとえば、第１ＲＥＢと第４ＲＥＢ）では、４ＣＳＩ-ＲＳにおいても同一のＣＳＩ-ＲＳロケーションインデックス（ｎ＝０、ｎ＋Ｎ＝５）が付与される。
【００３９】
２ＣＳＩ-ＲＳの場合、４ＣＳＩ-ＲＳのＲＥＢに付与しているＣＳＩ-ＲＳロケーションインデックスに基づいて、ＣＳＩ-ＲＳロケーションインデックスを決定する。２ＣＳＩ-ＲＳの場合、１ＲＥＢ内では上側リソースと下側リソースとで異なるＣＳＩ-ＲＳロケーションインデックスが付与され、４ＣＳＩ-ＲＳで同一のＣＳＩ-ＲＳロケーションインデックスが付与されていた一組のＲＥＢ間（たとえば、第１ＲＥＢと第４ＲＥＢ）でも、異なるＣＳＩ-ＲＳロケーションインデックスが付与される。たとえば、第１ＲＥＢには、上側リソース“ｎ＝０”、下側リソース“ｎ＋Ｎ＝５”が付与され、第４ＲＥＢには、上側リソース“ｎ＋２Ｎ＝１０”、下側リソース“ｎ＋３Ｎ＝１５”が付与される。
【００４０】
図４Ｃは図３（ａ）に示す方法を適用して計算した初期ＣＳＩ-ＲＳロケーションインデックスを、さらに一部修正して決定したＣＳＩ-ＲＳロケーションインデックスの具体例を示している。第１段階では、最大ポート数である８ＣＳＩ-ＲＳのロケーションインデックスが基本になり、図３（ａ）に示すインデックス決定ルールに従って４ＣＳＩ-ＲＳのロケーションインデックスを計算する。第２段階では、第１段階で計算したロケーションインデックスのうち第９および第１０シンボル領域に配置される第１から第６ＲＥＢのロケーションインデックスを若番の順番に周波数インデックス方向に均等配置されるように再配置する。第３段階では、図３（ａ）に示すインデックス決定ルールに従って２ＣＳＩ-ＲＳのロケーションインデックスを計算する。第４段階では、第３段階で計算したロケーションインデックスのうち第９および第１０シンボル領域に配置される第１から第６ＲＥＢのロケーションインデックスを若番の順番に周波数インデックス方向に均等配置されるように再配置する。
【００４１】
ＣＳＩ-ＲＳを用いたチャネル推定のために、以上のようにして決定したＣＳＩ-ＲＳのロケーションインデックスがＣＳＩ-ＲＳパラメータの一つとして下りリンクでシグナリングされる。
【００４２】
このとき、ＣＳＩ-ＲＳパラメータに、ＣＳＩ-ＲＳの送信周期（Duty  cycle：５，１０，２０msec，…）、送信電力、ＣＳＩ−ＲＳポート数を含むことが望ましい。ＣＳＩ-ＲＳパラメータには、ＣＳＩ-ＲＳの位置を特定するための付加情報としてオフセット情報（サブフレームオフセット）を含んでもよい。オフセット情報（サブフレームオフセット）はＣＳＩ-ＲＳの送信周期と密接に関連するので、両者をコンバインした形式で通知することが望ましい。
【００４３】
移動端末装置は、上記ＣＳＩ-ＲＳパラメータを下りリンクで受信して復調することで、ＣＳＩ-ＲＳのロケーションインデックスを取得し、ＣＳＩ-ＲＳロケーションインデックスで示されたリソースでＣＳＩ-ＲＳを受信し、ＣＳＩ-ＲＳ受信結果からチャネル推定することができる。
【００４４】
以上のように、ＣＳＩ-ＲＳパラメータ（ＣＳＩ-ＲＳロケーションインデックス）を報知信号に含めて移動端末装置に通知する。ＣＳＩ−ＲＳロケーションインデックスがセルＩＤに関連付けられていないため、セルＩＤの設計がＣＳＩ−ＲＳの配置構成に左右されることがない。すなわち、セルＩＤは、ＣＲＳの配置構成等のパラメータに基づいて定められるが、ＣＳＩ−ＲＳのパラメータをさらに考慮することによって複雑化されることがない。よって、ＣＳＩ−ＲＳの位置を報知により特定する構成は、システムにおける設計自由度を優先させたい場合等に有効である。
ただし、本発明はＣＳＩ−ＲＳロケーションインデックスをセルＩＤに関連付ける通知方法との組み合わせを排除するものではない。上述したＣＲＳのインデックス通知方法と同様の方法で、ＣＳＩ−ＲＳロケーションインデックスをセルＩＤに関連付けてシグナリングする方法（間接的シグナリング方法）と、ＣＳＩ-ＲＳロケーションインデックスを報知信号に含めてシグナリングする方法（明示的シグナリング方法）とを、切り替え可能にしてもよい。間接的シグナリング方法と明示的シグナリング方法とを切り替え可能なハイブリッド方法を適用する場合、間接的シグナリング方法か明示的シグナリング方法かを示す識別情報をＲＲＣシグナリングする。
【００４５】
また、多地点協調（CoMP：Coordinated  multiple  point）を行う際に、複数のセル間で同一のセルＩＤを使用する場合には、セルＩＤ用リソースにＣＳＩ−ＲＳを配置すると、ＣＳＩ−ＲＳがセル間で衝突してしまう。よって、このようなシステム形態の場合には、報知用リソースにＣＳＩ−ＲＳを配置する。また、マクロセルではＣＳＩ−ＲＳがセルＩＤ用リソースに配置され、ピコセルではＣＳＩ−ＲＳが報知用リソースに配置されるような使い分けも可能である。
【００４６】
また、ＣＳＩ−ＲＳは、ＣＲＳと異なり、サービングセルだけでなく隣接セルに対しても行うことを考慮して設計されている。このように、複数のセルのチャネル品質を測定するのは、多地点協調によるユーザデータの送受信を考慮するためである。移動端末装置は、測定したＣＱＩをサービングセルの基地局装置および隣接セルの基地局装置にフィードバックする。基地局装置にフィードバックされたＣＱＩは、移動端末装置にユーザデータを送信する際のパラメータ（例えば、ＭＣＳ：Modulation  and  Coding  Scheme）の判断に用いられる。
【００４７】
この場合、セル間でＣＳＩ−ＲＳのパラメータが交信され、隣接セルのＣＳＩ−ＲＳの位置および送信電力等のパラメータがサービングセルから移動端末装置に送信される。ここで、図５を参照して、隣接セルのＣＱＩ測定について説明する。図５は、本発明の実施の形態に係る隣接セルのＣＱＩの測定方法の説明図である。
【００４８】
図５に示すように、サービングセルに設置された基地局装置２０Ａは、隣接セルに設置された基地局装置２０Ｂ、２０ＣとＣＳＩ−ＲＳパラメータを送受信可能に接続されている。基地局装置２０Ａ、２０Ｂ、２０Ｃの接続形態は、特に限定されるものではなく、有線接続又は無線接続のいずれであってもよい。このシステムにおいて、ＣＳＩ−ＲＳの位置（ロケーションインデックス、サブフレームオフセット）、ＣＳＩ−ＲＳの送信周期、系列、送信電力等のパラメータが、隣接セルの基地局装置２０Ｂ、２０Ｃからサービングセルの基地局装置２０Ａに送信される。基地局装置２０Ａは、基地局装置２０Ｂ、２０Ｃから受信したＣＳＩ−ＲＳのパラメータと自セルのＣＳＩ−ＲＳのパラメータとを含む報知信号を生成し、移動端末装置１０に送信する。
【００４９】
サービングセルにおけるＣＳＩ−ＲＳのパラメータとしては、ＣＳＩ−ＲＳの位置、ＣＳＩ−ＲＳの送信周期（duty  cycle）、ＣＳＩ−ＲＳの送信周期の開始位置に対するオフセット（subframe  offset）、系列、送信電力が含まれる。また、隣接セルにおけるＣＳＩ−ＲＳのパラメータとしては、隣接セルＩＤ、ＣＳＩ−ＲＳの位置、系列、送信電力が含まれる。移動端末装置１０は、サービングセルからの報知信号により、隣接セルのＣＳＩ−ＲＳの位置、系列、送信電力を特定できるので、隣接セルのＣＱＩ測定できる。
【００５０】
ところで、ＣＳＩ−ＲＳを用いたＣＱＩ測定においては、隣接セルからの干渉によるＣＱＩ測定精度の改善を目的として、ミューティングが有効である。ミューティングでは、隣接セルにおいてＣＳＩ−ＲＳが配置されるリソースがブランクリソース（ヌル）に設定されることで行われる。
【００５１】
以下、図６を参照して、ＣＳＩ−ＲＳを用いたＣＱＩ測定におけるミューティングについて説明する。図６は、本発明の実施の形態に係るＣＳＩ−ＲＳを用いたＣＱＩ測定におけるミューティングの説明図である。なお、図６において、セルＣ１、セルＣ２、セルＣ３は相互に隣接しているものとする。また、以下の説明において、ＣＳＩ−ＲＳが配置されたリソースをＣＳＩ−ＲＳリソースとして説明する。
【００５２】
図６（ａ）は、ミューティングが行われない状態を示している。同図に示すように、ミューティングが行われない状態では、セルＣ１の下りリンクのリソースブロックにおいて、セルＣ２、Ｃ３のＣＳＩ−ＲＳリソースに対応するリソースにユーザデータが配置される。また、セルＣ２の下りリンクのリソースブロックにおいて、セルＣ１、Ｃ３のＣＳＩ−ＲＳリソースに対応するリソースにユーザデータが配置される。さらに、セルＣ３の下りリンクのリソースブロックにおいて、セルＣ２、Ｃ３のＣＳＩ−ＲＳリソースに対応するリソースにユーザデータが配置される。これらユーザデータは、各セルにおけるＣＳＩ−ＲＳの干渉成分を構成し、移動端末装置におけるチャネル品質の推定精度を劣化させる要因となる。
【００５３】
図６（ｂ）は、ミューティングが行われている状態を示している。ミューティングにおいては、このようなユーザデータの配置に起因するチャネル品質の推定精度の劣化を防止するために、隣接セルのＣＳＩ−ＲＳリソースに対応するリソースにユーザデータを配置しないブランクリソースに設定する。図６（ｂ）に示すように、セルＣ１の下りリンクのリソースブロックにおいて、セルＣ２、Ｃ３のＣＳＩ−ＲＳリソースに対応するリソースがブランクリソースに設定される。また、セルＣ２の下りリンクのリソースブロックにおいて、セルＣ１、Ｃ３のＣＳＩ−ＲＳリソースに対応するリソースがブランクリソースに設定される。さらに、セルＣ３の下りリンクのリソースブロックにおいて、セルＣ１、Ｃ２のＣＳＩ−ＲＳリソースに対応するリソースがブランクリソースに設定される。
【００５４】
このように、隣接セルのＣＳＩ−ＲＳリソースに対応するリソースがブランクリソースに設定されることで、隣接セルのユーザデータをＣＳＩ−ＲＳの干渉成分から排除でき、移動端末装置におけるチャネル品質の推定精度を改善することができる。しかしながら、ミューティングを行う場合においては、隣接セルへの干渉を低減するために，データチャネルをミューティングするため，自セルに通信しているユーザにどの位置をミューティングしているかを通知する必要がある。
【００５５】
移動端末装置では、基地局装置から通知されたブランクリソースの位置情報に基づいてミューティングの有無を認識し、その位置のデータは無送信であることを認識して，データの割り当てられているリソースエレメント数を認識する。
【００５６】
基地局装置から報知チャネルによりブランクリソースの位置情報が移動端末装置に通知される。例えば、基地局装置は、１リソースブロックにおけるＣＳＩ−ＲＳの配置パターンを示すパターンインデックスを上述したルールで規定し、このパターンインデックスをブランクリソースの位置情報として移動端末装置に通知する。
【００５７】
次に、図７（ａ）（ｂ）（ｃ）を参照して、３種類のミューティングの通知方法について説明する。
図７（ａ）は、ビットマップベースのミューティングリソース通知方法の説明図である。同図に示すビットマップベースのミューティングリソース通知方法は、上述した方法によってナンバリングされるＣＳＩ-ＲＳロケーションインデックスとミューティングの有無とを１対１で対応付けたビットマップ形式のミューティング位置情報をシグナリングする。具体的にＣＳＩ-ＲＳポート数８の場合を例に説明する。
【００５８】
図７（ａ）に示す具体例では、８ＣＳＩ-ＲＳの場合に、ＣＳＩ-ＲＳロケーションインデックス“０”“２”“３”のリソースでＣＳＩ-ＲＳが送信され、ＣＳＩ-ＲＳロケーションインデックス“１”“４”のリソースがミューティングされるケースが示されている。この場合は、ＣＳＩ-ＲＳロケーションインデックス[０，１，２，３，４]に対応させて、ビットマップ情報として[０，１，０，０，１]をシグナリングする。ビットマップ情報では、ミューティング位置に“１”をセットし、ミューティングしない位置に“０”をセットしている。
【００５９】
このようなビットマップベースのミューティングリソース通知方法は、あらゆるパターンのミューティングに対応可能で高い柔軟性を実現することができる。
【００６０】
図７（ｂ）は、ツリーベースのミューティングリソース通知方法の説明図である。同図に示すツリーベースのミューティングリソース通知方法は、上述した方法によってナンバリングされるＣＳＩ-ＲＳロケーションインデックスを用いてミューティング開始リソースとミューティング終了リソースをシグナリングする。
【００６１】
図７（ｂ）に示す具体例では、８ＣＳＩ-ＲＳの場合に、ＣＳＩ-ＲＳロケーションインデックス“０”“３”“４”のリソースでＣＳＩ-ＲＳが送信され、ＣＳＩ-ＲＳロケーションインデックス“１”“２”のリソースがミューティングされるケースが示されている。この場合は、ミューティング開始リソースがＣＳＩ-ＲＳロケーションインデックス“１”で、ミューティング終了リソースがＣＳＩ-ＲＳロケーションインデックス“２”で示される。
【００６２】
このようなツリーベースのミューティングリソース通知方法は、連続するミューティング対象のリソースの連続数が大きくなるほど、シグナリングビット数を削減できる効果が大きくなる。
【００６３】
図７（ｃ）は、ナンバーベースのミューティングリソース通知方法の説明図である。同図に示すナンバーベースのミューティングリソース通知方法は、ミューティング対象リソースの連続数をシグナリングする。ミューティング開始位置はＣＳＩ-ＲＳロケーションインデックス“０”に固定している。ただし、ミューティング開始位置は、固定または半固定であれば最若番“０”に限定されないで、“１”又はその他から開始してもよい。
【００６４】
図７（ｃ）に示す具体例では、８ＣＳＩ-ＲＳの場合に、ＣＳＩ-ＲＳロケーションインデックス“２”“３”“４”のリソースでＣＳＩ-ＲＳが送信され、ＣＳＩ-ＲＳロケーションインデックス“０”“１”のリソースがミューティングされるケースが示されている。この場合は、インデックス“０”から“１”までの連続する２ＲＥＢがミューティング対象であるので、ミューティングＲＥＢ数＝２となる。
【００６５】
このようなナンバーベースのミューティングリソース通知方法は、連続するミューティングＲＥＳ数をシグナリングするだけであるので、シグナリングビット数を、さらに削減することができる。
【００６６】
図８は、上記３つのミューティングリソース通知方法に対応した、シグナリングビット数、レートマッチングパターン数、ＲＥマッピングパターン数を示すテーブルである。２ＣＳＩ-ＲＳ、４ＣＳＩ-ＲＳ、８ＣＳＩ-ＲＳのそれぞれについてシグナリングビット数、パターン数等の各項目が試算されている。ナンバーベースのミューティングリソース通知方法がシグナリングビット数の最も小さい方法であるが、ＲＥマッピングパターン数が最も小さいので柔軟性に欠けていることが判る。
【００６７】
また、ツリーベースのミューティングリソース通知方法（図７（ｂ））及びナンバーベースのミューティングリソース通知方法（図７（ｃ））は、図４Ａ、Ｂに示す方法でナンバリングされたＣＳＩ-ＲＳロケーションインデックスとの親和性が高い。たとえば、図４Ａ（ｂ）に示す４ＣＳＩ-ＲＳの場合、ＣＳＩ-ＲＳロケーションインデックスが若番順に整列している。また、図４Ａ（ｃ）に示す２ＣＳＩ-ＲＳの場合、偶数番号と奇数番号とで分かれているが、ＣＳＩ-ＲＳロケーションインデックスが若番順に整列している。ツリーベース（ナンバーベースを含む）のミューティングリソース通知方法のように、連続番号でＣＳＩ-ＲＳロケーションインデックスを指定する方法と組み合わせることで、若番から順番にミューティングリソースを指定することができる。
【００６８】
図７（ａ）に示すように、例えば、セルＣ１では、基地局装置からＣＳＩ−ＲＳの位置情報としてＣＳＩ-ＲＳロケーションインデックス“０”“２”“３”、ブランクリソースの位置情報としてインデックス“１”“４”が図７（ａ）〜（ｃ）のいずれかのシグナリング方法で移動端末装置に通知される。移動端末装置では、ブランクリソースが通知されることで、ブランクリソースの影響を排除してユーザデータを復調できる。このように、ミューティングの第１の通知方法によれば、簡易な構成により移動端末装置にブランクリソースを通知できる。
【００６９】
なお、本実施の形態においては、基地局装置が、ブランクリソースの位置情報として、パターンインデックスを移動端末装置に通知する構成としたが、この構成に限定されるものではない。ブランクリソースの位置情報は、ブランクリソースの位置を特定可能な情報であればよく、例えば、リソースブロックにおけるアドレス情報でもよい。また、リソースブロックにセルＩＤ用リソースの配置パターンを示すパターンインデックスが規定される場合には、ブランクリソースの位置情報としてセルＩＤを通知する構成としてもよい。
【００７０】
ここで、本発明の実施例に係る無線通信システムについて詳細に説明する。図９は、本実施例に係る無線通信システムのシステム構成の説明図である。なお、図９に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００７１】
図９に示すように、無線通信システム１は、基地局装置２０Ａ、２０Ｂ、２０Ｃと、この基地局装置２０Ａ、２０Ｂ、２０Ｃと通信する複数の移動端末装置１０（１０１、１０２、１０３、・・・１０ｎ、ｎはｎ＞０の整数）とを含んで構成されている。基地局装置２０Ａ、２０Ｂ、２０Ｃは、上位局装置３０と接続され、この上位局装置３０は、コアネットワーク４０と接続される。移動端末装置１０は、セルＣ１、Ｃ２、Ｃ３において基地局装置２０Ａ、２０Ｂ、２０Ｃと通信を行うことができる。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００７２】
各移動端末装置（１０１、１０２、１０３、・・・１０ｎ）は、ＬＴＥ端末及びＬＴＥ−Ａ端末を含むが、以下においては、特段の断りがない限り移動端末装置１０として説明を進める。また、説明の便宜上、基地局装置２０Ａ、２０Ｂ、２０Ｃと無線通信するのは移動端末装置１０であるものとして説明するが、より一般的には移動端末装置も固定端末装置も含むユーザ装置（UE：User  Equipment）でよい。
【００７３】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７４】
ここで、ＬＴＥシステムにおける通信チャネルについて説明する。
下りリンクの通信チャネルは、各移動端末装置１０で共有される下りデータチャネルとしてのＰＤＳＣＨ（Physical  Downlink  Control  Channel）と、下りＬ１／Ｌ２制御チャネル（PDCCH、PCFICH、PHICH）とを有する。ＰＤＳＣＨにより、送信データ及び上位制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨにより、ＰＵＳＣＨに対するＨＡＲＱのＡＣＫ/ＮＡＣＫが伝送される。
【００７５】
上りリンクの通信チャネルは、各移動端末装置で共有される上りデータチャネルとしてのＰＵＳＣＨと、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの無線品質情報（CQI：Channel  Quality  Indicator）、ＡＣＫ/ＮＡＣＫ等が伝送される。
【００７６】
図１０を参照しながら、本実施の形態に係る基地局装置の全体構成について説明する。なお、基地局装置２０Ａ、２０Ｂ、２０Ｃは、同様な構成であるため、基地局装置２０として説明する。基地局装置２０は、送受信アンテナ２０１と、アンプ部２０２と、送受信部（送信部）２０３と、ベースバンド信号処理部２０４と、呼処理部２０５と、伝送路インターフェース２０６とを備えている。下りリンクにより基地局装置２０から移動端末装置１０に送信される送信データは、上位局装置３０から伝送路インターフェース２０６を介してベースバンド信号処理部２０４に入力される。
【００７７】
ベースバンド信号処理部２０４において、下りデータチャネルの信号は、ＰＤＣＰレイヤの処理、送信データの分割・結合、ＲＬＣ（radio  link  control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００７８】
また、ベースバンド信号処理部２０４は、報知チャネルにより、同一セルに接続する移動端末装置１０に対して、各移動端末装置１０が基地局装置２０との無線通信するための制御情報を通知する。当該セルにおける通信のための報知情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【００７９】
送受信部２０３は、ベースバンド信号処理部２０４から出力されたベースバンド信号を無線周波数帯に周波数変換する。アンプ部２０２は周波数変換された送信信号を増幅して送受信アンテナ２０１へ出力する。
【００８０】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００８１】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００８２】
呼処理部２０５は、通信チャネルの設定や解放等の呼処理や、基地局装置２０の状態管理や、無線リソースの管理を行う。
【００８３】
次に、図１１を参照しながら、本実施の形態に係る移動端末装置１０の全体構成について説明する。ＬＴＥ端末もＬＴＥ-Ａ端末もハードウエアの主要部構成は同じであるので、区別せずに説明する。移動端末装置１０は、送受信アンテナ１０１と、アンプ部１０２と、送受信部（受信部）１０３と、ベースバンド信号処理部１０４と、アプリケーション部１０５とを備えている。
【００８４】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００８５】
一方、上りリンクの送信データは、最大２つのトランスポートブロックによってアプリケーション部１０５からベースバンド信号処理部１０４に入力される。ベースバンド信号処理部１０４においては、トランスポートブロックの各レイヤへのマッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００８６】
図１２を参照して、基地局装置による移動端末装置にＣＱＩを測定させるための機能ブロックについて説明する。図１２は、基地局装置による移動端末装置にＣＱＩを測定させるための機能ブロックの説明図である。なお、図１２の各機能ブロックは、主にベースバンド処理部の処理内容である。また、図１２に示す機能ブロックは、本発明を説明するために簡略化したものであり、ベースバンド処理部において通常備える構成は備えるものとする。
【００８７】
図１２に示すように、基地局装置２０は、ＣＳＩ−ＲＳ配置部（配置部）２１１と、ＣＳＩ−ＲＳロケーションインデックスを図３（ａ）又は（ｂ）に示すルールにしたがって生成するＣＳＩ−ＲＳロケーションインデックス生成部２１２（インデックス生成部）と、ブランクリソース設定部２１３と、ブランクリソースインデックスを図７（ａ）（ｂ）又は（ｃ）に示すシグナリング方法でシグナリングするブランクリソースインデックス生成部２１４と、ＣＳＩ−ＲＳロケーションインデックス以外のＣＳＩ−ＲＳパラメータ（送信周期、サブフレームオフセット、送信電力等）を生成するＣＳＩ−ＲＳパラメータ生成部２１５と、報知信号生成部２１６と、送受信部２０３とを有している。
【００８８】
ＣＳＩ−ＲＳ配置部２１１は、リソースブロックにおける報知用リソースに、ＣＳＩ−ＲＳポート数に応じて図４Ａ、Ｂに示すいずれかのパターンでＣＳＩ−ＲＳを配置する。ＣＳＩ−ＲＳロケーションインデックス生成部２１２は、ＣＳＩ−ＲＳ配置部２１１がＣＳＩ−ＲＳを配置したリソースに対応したインデックスを生成する。そのため、８ＣＳＩ−ＲＳのＣＳＩ−ＲＳロケーションインデックス（図４Ａ（ａ））を基本パターンインデックスとして保持しており、ＣＳＩ−ＲＳポート数に応じて基本パターンインデックスから図３（ａ）（ｂ）又は（ｃ）に示す方法で該当リソースのＣＳＩ−ＲＳのＣＳＩ−ＲＳロケーションインデックスを求める。図３（ａ）（ｂ）又は（ｃ）に示す方法で生成される４ＣＳＩ-ＲＳ又は２ＣＳＩ-ＲＳのＣＳＩ−ＲＳロケーションインデックスは、相対的に小さいＣＳＩ-ＲＳポート数のインデックスパターンが相対的に大きいＣＳＩ-ＲＳポート数のインデックスパターンのサブセットになるようにネスト構造になっている。ＣＳＩ−ＲＳロケーションインデックス生成部２１２で生成されたＣＳＩ−ＲＳロケーションインデックスは、ＣＳＩ−ＲＳパラメータの一つとして報知信号生成部２１６に入力される。
【００８９】
ブランクリソース設定部２１３は、隣接セルにおいてＣＳＩ−ＲＳが配置されるＣＳＩ−ＲＳリソースに対応するリソースをブランクリソースに設定する。なお、本実施の形態では、ブランクリソースは、全く送信信号が割り当てられないリソースとしてもよいし、隣接セルのＣＳＩ−ＲＳに干渉を与えない程度にデータが割り当てるリソースとして規定されてもよい。さらに、ブランクリソースは、隣接セルのＣＳＩ−ＲＳに対して干渉を与えない程度の送信電力で送信されるリソースとして規定されてもよい。
【００９０】
ブランクリソースインデックス生成部２１４は、図７（ａ）（ｂ）（ｃ）のいずれかの方法でブランクリソースインデックスを特定可能なブランクリソースインデックス情報を生成する。このブランクリソースインデックス情報が移動端末装置１０に通知されると、移動端末装置１０側でＣＳＩ−ＲＳリソース以外のリソースがブランクリソースとして認識される。
【００９１】
ブランクリソースインデックス生成部２１４に生成されたブランクリソースインデックス情報は、報知信号生成部２１６に入力される。
【００９２】
ＣＳＩ−ＲＳパラメータ生成部２１５は、ＣＳＩ−ＲＳの位置以外のＣＳＩ−ＲＳの系列や送信電力等のパラメータを生成する。ここで、ＣＳＩ−ＲＳの送信周期（duty  cycle）とサブフレームオフセットのシグナリングについて説明する。ＣＳＩ−ＲＳは、サブフレーム毎に送信されないので、ＣＳＩ−ＲＳの送信周期はＣＳＩ−ＲＳパラメータの１つとしてシグナリングされる。ＣＳＩ−ＲＳの送信周期は、５、１０、２０、４０、８０、１６０msecのいずれかを選択して通知してもよい。また、ＣＳＩ−ＲＳが送られるサブフレーム内でＣＳＩ−ＲＳ送信開始位置にオフセット（サブフレームオフセット）を付加してもよい。オフセット値は、ＣＳＩ−ＲＳの送信周期を超えることができない関係にあるので、ＣＳＩ−ＲＳの送信周期はサブフレームオフセットとコンバインすることが望ましい。図１４はＣＳＩ−ＲＳの送信周期とはサブフレームオフセットとの対応関係を示す図である。ＣＳＩ−ＲＳパラメータ生成部２１５は、図１４に示すようにコンバインされたＣＳＩ−ＲＳの送信周期及びサブフレームオフセットをＣＳＩ−ＲＳパラメータとして生成する。
【００９３】
また、PDSCHミューティングが適用される場合、ミューティング対象のリソースエレメントから送信電力を借りてきて、ＣＳＩ−ＲＳの送信電力をブースティングすることができる。そこで、ミューティング対象のリソースエレメントから借りてくる送信電力を、ＣＳＩ−ＲＳの送信電力に対するパワーオフセットとしてシグナリングすれば、ＣＳＩ−ＲＳの送信電力をブースティングすることができる。ＣＳＩ−ＲＳパラメータ生成部２１５は、ＣＳＩ−ＲＳの送信電力に対するパワーオフセットをＣＳＩ−ＲＳパラメータとして生成する。
【００９４】
また、移動端末装置にＣＳＩ−ＲＳポート数（８，４，２）が通知されないと、移動端末装置においてＣＳＩ−ＲＳを用いたＣＱＩ測定ができない。ＣＳＩ−ＲＳパラメータ生成部２１５は、ＣＳＩ−ＲＳポート数（８，４，２）をＣＳＩ−ＲＳパラメータとして生成する。
【００９５】
報知信号生成部２１６は、ＣＳＩ−ＲＳロケーションインデックス、ブランクリソースインデックス情報、その他のＣＳＩ−ＲＳパラメータを含めて報知信号を生成する。この場合、報知信号生成部２１６は、自セルにおけるＣＳＩ−ＲＳパラメータのみならず、送受信部２０３を介して受信した隣接セルのＣＳＩ−ＲＳパラメータを含めて報知信号を生成する。送受信部２０３は、ＣＳＩ−ＲＳおよび報知信号を移動端末装置１０に送信する。また、上記した間接的シグナリング方法と明示的シグナリング方法とを切り替え可能なハイブリッド方法を適用する場合、間接的シグナリング方法か明示的シグナリング方法かを示す識別情報をＲＲＣシグナリングする。
【００９６】
図１３を参照して、移動端末装置によるＣＱＩを測定するための機能ブロックについて説明する。図１３は、移動端末装置によるＣＱＩを測定するための機能ブロックの説明図である。なお、図１３の各機能ブロックは、主にベースバンド処理部の処理内容である。また、図１３に示す機能ブロックは、本発明を説明するために簡略化したものであり、ベースバンド処理部において通常備える構成は備えるものとする。
【００９７】
図１３に示すように、移動端末装置１０は、送受信部１０３と、取得部１１１と、測定部１１２とを有している。送受信部１０３は、基地局装置２０からＣＳＩ−ＲＳおよび報知信号を受信する。取得部１１１は、報知信号を復調して、信号の中身を解析することでＣＳＩ−ＲＳロケーションインデックス、ブランクリソースインデックス、送信電力等のＣＳＩ−ＲＳパラメータを取得する。
【００９８】
測定部１１２は、サービングセルおよび隣接セルのＣＳＩ−ＲＳパラメータに基づいてＣＱＩを測定する。測定部１１２においては、ＣＳＩ−ＲＳの位置情報、系列、送信電力等のパラメータからサービングセルおよび隣接セルのＣＱＩが測定される。
【００９９】
また、測定部１１２では、ミューティングされたリソースの干渉成分を考慮してＣＱＩが測定される。この場合、測定部１１２は、ブランクリソースインデックスで示されるリソースは、他の全てのセルにおいて、ＣＳＩ−ＲＳリソース以外がブランクリソースに設定されると認識する。このため、測定部１１２は、サービングセルのＣＳＩ−ＲＳリソースに対応するリソースに、他セルのブランクリソースが設定されるとして、ブランクリソースの干渉成分を考慮してＣＱＩを測定する。
【０１００】
以上のように、本実施の形態に係る基地局装置２０によれば、報知用リソースに配置するＣＳＩ−ＲＳのインデックスを、ＣＳＩ-ＲＳポート数の大きいＣＳＩ-ＲＳロケーションインデックスを用いてＣＳＩ-ＲＳポート数のより小さいＣＳＩ-ＲＳロケーションインデックスを生成するので、ＣＳＩ-ＲＳポート数４，２についてインデックステーブルを排除でき、高効率にＣＳＩ-ＲＳロケーションインデックスをシグナリングできる。また、ＣＳＩ−ＲＳロケーションインデックスを報知用リソースに配置してシグナリングすることで、ＣＳＩ−ＲＳの配置構成がセルＩＤの設計に左右されることがなく、システムにおける設計自由度を高めることができる。
【０１０１】
また、上記した本実施の形態においては、報知用リソースにＣＳＩ−ＲＳが配置される場合に、基地局装置が報知信号により複数の移動端末装置に対して一斉にＣＳＩ−ＲＳの位置情報を通知する構成としたが、この構成に限定されるものではない。基地局装置は、報知信号によりＣＳＩ−ＲＳを移動端末装置に通知する構成に代えて、移動端末装置に対して個別にＣＳＩ−ＲＳを通知する構成としてもよい。したがって、報知用リソースは、報知用信号により一斉に移動端末装置にＣＳＩ−ＲＳの位置情報を通知する構成に限定されず、各移動端末装置に個別にＣＳＩ−ＲＳの位置情報を通知する際にも使用される。
【０１０２】
また、上記した実施の形態においては、移動端末装置において、取得部が報知信号からブランクリソースの位置情報を取得する構成としたが、この構成に限定されるものではない。ブランクリソースの位置情報は、取得部以外の機能ブロック、例えば、測定部により取得される構成としてもよい。
【０１０３】
本発明は上記実施の形態に限定されず、様々変更して実施することが可能である。例えば、本発明の範囲を逸脱しない限りにおいて、上記説明におけるＣＳＩ−ＲＳの割り当て位置、処理部の数、処理手順、ＣＳＩ−ＲＳの数については適宜変更して実施することが可能である。その他、本発明の範囲を逸脱しないで適宜変更して実施することが可能である。
【符号の説明】
【０１０４】
１  無線通信システム
１０  移動端末装置
２０  基地局装置
１０１  送受信アンテナ
１０２  アンプ部
１０３  送受信部（受信部）
１０４  ベースバンド信号処理部
１０５  アプリケーション部
１１１  取得部
１１２  測定部
２０１  送受信アンテナ
２０２  アンプ部
２０３  送受信部（送信部）
２０４  ベースバンド信号処理部
２０５  呼処理部
２０６  伝送路インターフェース
２１１  ＣＳＩ−ＲＳ配置部（配置部）
２１２  ＣＳＩ−ＲＳロケーションインデックス生成部
２１３  ブランクリソース設定部
２１４  ブランクリソースインデックス生成部
２１５  ＣＳＩ−ＲＳパラメータ生成部
２１６  報知信号生成部
【図１】
0005345111.tif 000002
【図２】
0005345111.tif 000003
【図３】
0005345111.tif 000004
【図４Ａ】
0005345111.tif 000005
【図４Ｂ】
0005345111.tif 000006
【図４Ｃ】
0005345111.tif 000007
【図５】
0005345111.tif 000008
【図６】
0005345111.tif 000009
【図７】
0005345111.tif 000010
【図８】
0005345111.tif 000011
【図９】
0005345111.tif 000012
【図１０】
0005345111.tif 000013
【図１１】
0005345111.tif 000014
【図１２】
0005345111.tif 000015
【図１３】
0005345111.tif 000016
【図１４】
0005345111.tif 000017